(57)【特許請求の範囲】
【請求項１】
レンジフード１のフード２に取り付けて使用されるレンジフード用スイッチ装置であって、
樹脂製のケーシング１２内に複数のスイッチの入力端子と出力端子を設け、この各入力端子と各出力端子をケーシング１２の外部から操作してそれぞれ接続、離隔する構成で、
前記複数の入力端子又は前記複数の出力端子に接続したリード線に、設定温度で切となる温度ヒューズ１８を設け、
前記温度ヒューズ１８をケーシング１２の外側の面に接触して設けたことを特徴とするレンジフード用スイッチ装置。
【請求項２】
レンジフード１のフード２に取り付けて使用されるレンジフード用スイッチ装置であって、
樹脂製のケーシング１２内に複数のスイッチの入力端子と出力端子を設け、この各入力端子と各出力端子をケーシング１２の外部から操作してそれぞれ接続、離隔する構成で、
前記ケーシング１２の外側の面にカバー１９を取り付け、前記ケーシング１２の外側の面とカバー１９の内側の面とで空洞２０を形成し、
前記複数の入力端子又は前記複数の出力端子に接続したリード線に、設定温度で切となる温度ヒューズ１８を設け、
前記空洞２０内に前記温度ヒューズ１８を設けたことを特徴とするレンジフード用スイッチ装置。
【請求項３】
前記ケーシング１２内に前記複数のスイッチの入力端子と出力端子を、前記ケーシング１２の長さ方向に間隔を置いてそれぞれ設け、
前記各スイッチの入力端子を前記ケーシング１２内で連続し、その連続系統におけるケーシング１２の長さ方向の中央部に入力側のリード線１７を接続し、
前記リード線１７に温度ヒューズ１８を設けた請求項１又は２記載のレンジフード用スイッチ装置。
【請求項４】
前記各スイッチの出力端子にそれぞれ接続した出力側のリード線１６に温度ヒューズ１８を設けた請求項１又は２記載のレンジフード用スイッチ装置。
【発明の詳細な説明】
【技術分野】
【０００１】
本発明は、レンジフードに使用され、電動モータ、照明に通電制御するレンジフード用スイッチ装置に関する。
【背景技術】
【０００２】
レンジフード用スイッチ装置が特許文献１に開示されている。
このレンジフード用スイッチ装置は、ケーシング内に入力端子と出力端子と可動接片を設け、操作杆を操作することで入力端子と出力端子を可動接片で接続、離隔して通電状態、非通電状態とするものである。
【先行技術文献】
【特許文献】
【０００３】
【特許文献１】特開２００７−２７３２３２号公報
【発明の概要】
【発明が解決しようとする課題】
【０００４】
スイッチ装置においては、ケーシング内に異物が入り込み、その異物が入力端子と出力端子との間に触れると、トラッキング現象といわれる入力端子と出力端子の導通が生じ、入力端子と出力端子の間で発熱し、端子の周辺の温度が上昇し、ケーシングが樹脂製の場合には発煙、発火に繋がる恐れがある。
特に、レンジフード用スイッチ装置は、レンジフードを洗剤を用いて洗浄することがあり、その際に、洗剤、水がケーシング内部に入り込み易く、その洗剤、水が入力端子と出力端子との間に触れて入力端子と出力端子の導通が生じ易く、そのために入力端子と出力端子の間で発熱し、端子周辺の温度が上昇し、樹脂製のケーシングの場合には発煙、発火に繋がる。
【０００５】
本発明は、前述の課題を解決するためになされたものであり、その目的は、ケーシング内で端子部が発熱した場合に、端子に通電しないようにすることで、樹脂製のケーシングの発煙、発火を防止できるようにしたレンジフード用スイッチ装置とすることである。
【課題を解決するための手段】
【０００６】
本発明の第１のレンジフード用スイッチ装置は、レンジフード１のフード２に取り付けて使用されるレンジフード用スイッチ装置であって、
樹脂製のケーシング１２内に複数のスイッチの入力端子と出力端子を設け、この各入力端子と各出力端子をケーシング１２の外部から操作してそれぞれ接続、離隔する構成で、
前記複数の入力端子又は前記複数の出力端子に接続したリード線に、設定温度で切となる温度ヒューズ１８を設け、
前記温度ヒューズ１８をケーシング１２の外側の面に接触して設けたことを特徴とするレンジフード用スイッチ装置である。
【０００７】
本発明の第２のレンジフード用スイッチ装置は、レンジフード１のフード２に取り付けて使用されるレンジフード用スイッチ装置であって、
樹脂製のケーシング１２内に複数のスイッチの入力端子と出力端子を設け、この各入力端子と各出力端子をケーシング１２の外部から操作してそれぞれ接続、離隔する構成で、
前記ケーシング１２の外側の面にカバー１９を取り付け、前記ケーシング１２の外側の面とカバー１９の内側の面とで空洞２０を形成し、
前記複数の入力端子又は前記複数の出力端子に接続したリード線に、設定温度で切となる温度ヒューズ１８を設け、
前記空洞２０内に前記温度ヒューズ１８を設けたことを特徴とするレンジフード用スイッチ装置である。
【０００８】
本発明の第１又は第２のレンジフード用スイッチ装置においては、前記ケーシング１２内に前記複数のスイッチの入力端子と出力端子を、前記ケーシング１２の長さ方向に間隔を置いてそれぞれ設け、
前記各スイッチの入力端子を前記ケーシング１２内で連続し、その連続系統におけるケーシング１２の長さ方向の中央部に入力側のリード線１７を接続し、
前記リード線１７に温度ヒューズ１８を設けることができる。
【０００９】
このようにすれば、いずれのスイッチの端子が発熱した場合でも、発熱による熱が効率良く温度ヒューズ１８に伝熱し、温度ヒューズ１８は端子発熱から短時間で切れる。
【００１０】
本発明の第１又は第２のレンジフード用スイッチ装置においては、前記各スイッチの出力端子にそれぞれ接続した出力側のリード線１６に温度ヒューズ１８を設けることができる。
【発明の効果】
【００１１】
本発明のレンジフード用スイッチ装置によれば、ケーシング１２内で端子部が発熱すると、その熱で温度ヒューズ１８の温度が高くなり、設定温度となると温度ヒューズ１８が切となるので、スイッチの端子に通電されなくなるから、樹脂製のケーシングの発煙、発火を防止できる。
本発明の第１のレンジフード用スイッチ装置によれば、温度ヒューズ１８は、ケーシング１２の外側の面に接触しているから、ケーシング１２内の端子の発熱による熱がケーシング１２を伝わり温度ヒューズ１８に伝熱するから、温度ヒューズ１８の温度が早期に上昇するので、温度ヒューズ１８は端子発熱から短時間で切れる。
本発明の第２のレンジフード用スイッチ装置によれば、温度ヒューズ１８は、ケーシング１２の外側面とカバー１９の内側の面とで形成した空洞２０内に設けてあるから、ケーシング１２内の端子部の発熱による熱がケーシング１２を伝わり空洞２０内の温度を上昇するので、温度ヒューズ１８の温度が早期に上昇し、温度ヒューズ１８は端子発熱から短時間で切れる。
【図面の簡単な説明】
【００１２】
【図１】レンジフードの概略説明図である。
【図２】レンジフード用スイッチ装置の回路図である。
【図３】レンジフード用スイッチ装置の第１の実施の形態を示す正面図である。
【図４】レンジフード用スイッチ装置の第１の実施の形態を示す側面図である。
【図５】レンジフード用スイッチ装置の第２の実施の形態を示す正面図である。
【図６】レンジフード用スイッチ装置の第２の実施の形態を示す側面図である。
【図７】レンジフード用スイッチ装置の第３の実施の形態を示す正面図である。
【図８】レンジフード用スイッチ装置の第４の実施の形態を示す正面図である。
【図９】レンジフード用スイッチ装置の第５の実施の形態を示す正面図である。
【発明を実施するための形態】
【００１３】
図１はレンジフードの概略説明図で、レンジフード１はフード２を備えている。
図示しない送風機を駆動することで、フード２内に調理時に発生した油煙等を吸い込み、その油煙等を図示しないダクトを経て屋外に排出する。
フード２の前面２ａに、本発明のレンジフード用スイッチ装置３が取り付けてある。
【００１４】
レンジフード用スイッチ装置３を回路図で示すと図２に示すようになる。レンジフード用スイッチ装置３は、ランプスイッチ４、強スイッチ５、中スイッチ６、弱スイッチ７、切スイッチ８を有している。
各スイッチの入力端子４ａ，５ａ，６ａ，７ａが入力側電源回路９に接続している。ランプスイッチ４の出力端子４ｂがランプ１０に接続している。強スイッチ５、中スイッチ６、弱スイッチ７の出力端子５ｂ，６ｂ，７ｂが送風機駆動用の電動モータ１１に接続している。
各スイッチ４，５，６，７は可動接片４ｃ，５ｃ，６ｃ，７ｃを有し、可動接片４ｃ，５ｃ，６ｃ，７ｃで入力端子４ａ，５ａ，６ａ，７ａと出力端子４ｂ，５ｂ，６ｂ，７ｂを接続、離隔して通電状態、非通電状態とする。
切スイッチ８は強スイッチ５、中スイッチ６、弱スイッチ７の可動接片５ｃ、６ｃ、７ｃを離隔するものである。
各スイッチの入力端子、出力端子、可動接片は樹脂製のケーシング１２内に設けられ、絶縁材で被覆されている。
【００１５】
入力端子４ａ，５ａ，６ａ，７ａと出力端子４ｂ，５ｂ，６ｂ，７ｂとの間に洗剤、水などの異物が触れると、入力端子と出力端子が導通（導電）状態、つまりトラッキング現象が生じる。
これにより、入力端子と出力端子間で発熱し、入力端子と出力端子の周辺の温度が上昇する。長期間発熱するとケーシング１２が発煙、発火することがある。
【００１６】
レンジフード用スイッチ装置３を図３と図４を参照して説明する。
レンジフード用スイッチ装置３のケーシング１２は、図３と図４に示すように、所定の長さと幅と高さを有するほぼ直方体形状である。ケーシング１２は図１に示すようにフード２の前面２ａに、幅方向が上下方向に向かい、高さ方向がフード２の前後方向に向かい、長さ方向にほぼ水平として取り付けられる。
ケーシング１２は、本体１３と、本体１３に着脱可能に取り付けたカバー１４を有している。
本体１３は、所定の長さと幅と高さを有し、幅方向の一側面１３ａが開口した箱状である。
カバー１４は、本体１３の幅方向の一側面１３ａに着脱自在に取り付けられ、カバー１４は本体１３の開口を閉じる。
ケーシング１２内に、ランプスイッチ４、強スイッチ５、中スイッチ６、弱スイッチ７、切スイッチ８の各端子、可動接片がケーシング１２の長さ方向に間隔を置いて順次設けてある。
各スイッチの操作杆４ｄ，５ｄ，６ｄ，７ｄ，８ｄは、ケーシング１２の高さ方向の一端面１２ａ（本体１３の高さ方向の一端面１３ｂ)から外部に突出している。
ランプスイッチ４の操作杆４ｄ、強スイッチ５の操作杆５ｄ、中スイッチ６の操作杆６ｄ、弱スイッチ７の操作杆７ｄを押し下げると、可動接片で入力端子と出力端子が接続する。
例えば、弱スイッチ７の操作杆７ｄを押し下げると、可動接片７ｃが搖動して出力端子７ｂを入力端子７ａに接続する。
【００１７】
各スイッチの入力端子４ａ，５ａ，６ａ，７ａは連続系統で連続している。例えばケーシング１２内に１つのプレート１５を、ケーシング１２の長さ方向に渡って設け、そのプレート１５の長さ方向に間隔を置いた複数の部分を切り起こし、切り起こした部分で各入力端子が形成されている。これにより、各入力端子は連続している。
プレート１５の一端部１５ａはケーシング１２の長さ方向の一端面１２ｂ（本体１３の長さ方向の一端面１３ｃ）から外部に突出している。
各スイッチの出力端子４ｂ，５ｂ，６ｂ，７ｂの一部はケーシング１２の幅方向一方の側面１２ｃ（本体１３の幅方向の他端面１３ｄ）から外部に突出している。
各出力端子４ｂ，５ｂ，６ｂ，７ｂに出力側のリード線１６がそれぞれ接続してある。
各リード線１６はランプ１０、電動モータ１１に接続している。
【００１８】
プレート１５の一端部１５ａに入力側のリード線１７を接続してある。入力側のリード線１７は電源に接続してある。つまり、入力側のリード線１７が図２に示す入力側電源回路９である。
入力側のリード線１７はケーシング１２に沿って配設され、リード線１７における各スイッチの入力端子、出力端子、可動接片、つまり端子部と対向した位置に温度ヒューズ１８がそれぞれ直列に接続してある。
温度ヒューズ１８は設定温度、例えば９０°で溶けて切れる。
温度ヒューズ１８が切れるとリード線１７が切断されるから、各入力端子４ａ，５ａ，６ａ，７ａに通電されない。
【００１９】
このようであるから、ケーシング１２内に洗剤、水などの異物が入り込み、その洗剤、水などの異物が入力端子と出力端子との間に触れて導通することで、入力端子と出力端子の間で発熱した場合、その熱は入力側のリード線１７を通り温度ヒューズ１８に伝熱する。
これと同時に、入力端子と出力端子の間で発熱した熱は、ケーシング１２を伝わり温度ヒューズ１８に伝熱する。図３の場合には発熱した入力端子、出力端子（つまり、端子部）に最も近い温度ヒューズ１８に最も伝熱する。
【００２０】
これにより、発熱した端子部に最も近い温度ヒューズ１８の温度が最も上昇する。
そして、所定の時間が経過すると温度ヒューズ１８の温度が設定温度となり、温度ヒューズ１８が切れるので、各入力端子に通電されなくなる。これにより、洗剤、水などの異物で導通した入力端子と出力端子の発熱が中止するので、ケーシング１２の発煙、発火を防止できる。
【００２１】
温度ヒューズ１８はスイッチの数よりも少ない数としても良い。温度ヒューズ１８は１つとし、強スイッチ５の端子部と中スイッチ６の端子部との間に温度ヒューズ１８を設けるようにしても良い。
【００２２】
各温度ヒューズ１８は、各スイッチの端子部の発熱によりケーシング１２を介して加温されるので、ケーシング１２に接触して設けることが好ましい。
【００２３】
次に、第２の実施の形態を説明する。
図５と図６に示すように、ケーシング１２にカバー１９を取り付け、そのカバー１９とケーシング１２との間に空洞２０を形成する。
空洞２０内に入力側のリード線１７、温度ヒューズ１８を配設する。
【００２４】
このようにすれば、入力端子と出力端子との間で発熱した熱がケーシング１２を伝わり、空洞２０内の空気温度を高めるので、温度ヒューズ１８の温度が早く上昇し、端子部で発熱した後に短時間で温度ヒューズ１８が切れるので、ケーシング１２の発煙、発火を確実に防止できる。
【００２５】
図５と図６に示す実施の形態では、本体１３の幅方向の他側面１３ｄの下部とカバー１４の幅方向の一側面１４ａの下部、つまりケーシング１２の幅方向の両側面の下部にガイド１３ｅ，１４ｂを長さ方向全長に渡って有する。
カバー１９は、高さ方向に向かう一側壁１９ａと、高さ方向に向かう他側壁１９ｂと、一側壁１９ａと他側壁１９ｂを連結する幅方向に向かう連結壁１９ｃとでほぼコ字形状で、一側壁１９ａ、他側壁１９ｂの連結壁１９ｃで連結した端部と反対側の端部は鉤形状に折曲している。
カバー１９の一側壁１９ａ、他側壁１９ｂはガイド１４ｄ，１３ｅに長さ方向に移動自在に接して支持されている。これにより、カバー１９はケーシング１２に、ケーシング１２の長さ方向に移動自在に取り付けてある。
カバー１９の一側壁１９ａ、他側壁１９ｂに、ケーシング１２の長さ方向の長孔２１を形成し、その長孔２１からビス２２をガイド１４ｄ，１３ｅに螺合してカバー１９をケーシング１２に固着してある。
【００２６】
このようであるから、ビス２２を弛めることでカバー１９をケーシング１２の長さ方向に移動して温度ヒューズ１８の位置を、ケーシング１２の長さ方向に調整できる。
【００２７】
図５では、温度ヒューズ１８を１つとしてあるが、各スイッチと対向してそれぞれ設けても良い。
【００２８】
温度ヒューズ１８はケーシング１２と離隔し、端子部の発熱による熱が入力側のリード線１７を伝わり温度ヒューズ１８に伝熱するようにしても良い。
この場合には、図７に示すように長さ方向に間隔を置いて配設した複数の入力端子の長さ方向中間部に、入力側のリード線１７を接続することが好ましい。
例えば、プレート１５の長さ方向中央部に接続子１５ｂを一体に設け、接続子１５ｂをケーシング１２の高さ方向の他端面１２ｄ（本体１３の高さ方向の他端面１３ｆ）から外部に突出し、接続子１５ｂに入力側のリード線１７を接続する。
【００２９】
このようにすれば、ランプスイッチ４、強スイッチ５、中スイッチ６、弱スイッチ７のいずれの端子部で発熱した場合、その発熱による熱が温度ヒューズ１８に効率的に伝熱し、端子部が発熱してから短時間で温度ヒューズ１８が切れる。
【００３０】
図８に示すように、各出力側のリード線１６に温度ヒューズ１８をそれぞれ接続しても良い。
この場合には、温度ヒューズ１８をケーシング１２に接触するように取り付ける。
なお、温度ヒューズ１８をケーシング１２と離隔しても良い。
【００３１】
温度ヒューズ１８をリード線に接続する一例を説明する。
温度ヒューズ１８の温度ヒューズ本体におけるリード部側を、端子に接続したリード線に接続し、温度ヒューズ本体のリード部と反対側を電源、電気機器（ランプ、電動モータ）に接続したリード線に接続する。
そして、温度ヒューズ１８とリード線の接続部及び温度ヒューズ１８を熱伝導率の良いチューブで被覆する。
このようにすることで、温度ヒューズ本体がケーシング１２から伝熱されて温度上昇し、リード部がリード線から伝熱されて温度上昇し、温度上昇の早い方で温度ヒューズ１８を切とする。
【００３２】
温度ヒューズ１８はケーシング１２の内部に設けても良い。例えば、図９に示すように、各スイッチの入力端子４ａ，５ａ，６ａ，７ａを不連続とし、入力端子を温度ヒューズ１８を介してリード線２３で接続し、端部のリード線２３をケーシング１２の外部に出し、入力側のリード線１７に接続する。
【００３３】
温度ヒューズ１８は、設定温度で切となり、その後に設定温度になると接に復帰するものとすることができる。
例えば、サーマルプロテクタとする。
【００３４】
前述の各実施の形態では、１つの操作杆で１つの入力端子と出力端子を接続、不連続するようにしたが、１つの操作杆で複数の入力端子と複数の出力端子をそれぞれ接続、不連続するようにしても良い。
前述の各実施の形態はケーシング１２に複数のスイッチを設けたが、ケーシング１２に１つのスイッチを設けたスイッチ装置としても良い。
【符号の説明】
【００３５】
２…フード、３…レンジフード用スイッチ装置、４…照明スイッチ、４ａ…入力端子、４ｂ…出力端子、４ｃ…可動接片、５…強スイッチ、５ａ……入力端子、５ｂ…出力端子、５ｃ…可動接片、６…中スイッチ、６ａ…入力端子、６ｂ…出力端子、６ｃ…可動接片、７…弱スイッチ、７ａ…入力端子、７ｂ…出力端子、７ｃ…可動接片、１２…ケーシング、１５…プレート（連続系統）、１６…出力側のリード線、１７…入力側のリード線、１８…温度ヒューズ、１９…カバー、２０…空洞。
【図１】
0006317189.tif 000002
【図２】
0006317189.tif 000003
【図３】
0006317189.tif 000004
【図４】
0006317189.tif 000005
【図５】
0006317189.tif 000006
【図６】
0006317189.tif 000007
【図７】
0006317189.tif 000008
【図８】
0006317189.tif 000009
【図９】
0006317189.tif 000010